(57)【要約】【課題】手洗いの手順を変更し、もしくは手の有無のセンス手順を変更して、手洗いする者の自発性を尊重しながら洗浄品質を向上できる手洗いシステムの制御方法を提供する。【解決手段】少なくとも洗剤液吐出装置と水吐出装置と手の有無を感知するセンサと制御ユニットを備える手洗いシステムにおいて、１．水吐出、２．洗剤液吐出、３．休止、５．水吐出、のステップに加えて、４．休止して手の有無を感知、または、６．休止して手の有無を感知、のいずれかまたは双方が番号の昇順に追加され、４．で手が感知された場合は１．または２．のステップに戻り、６．で手が感知された場合は５．のステップに戻る、ことを特徴とする。【選択図】          図５
2004263511.tif 000002
【特許請求の範囲】
【請求項１】
洗剤液吐出装置と、水吐出装置と、所定の位置に手があるか（Ｙ）否か（Ｎ）の感知情報を出力するセンサと、前記センサからの感知情報に基き、前記洗剤液吐出装置及び前記水吐出装置の開閉に関する駆動制御信号を供給する制御ユニットとを備える手洗いシステムにおいて、
前記制御ユニットは、前記センサの出力がＮの場合、前記両吐出装置を閉状態に保持して待機しており、前記センサの出力がＹの場合下記のステップに進み、前記ステップは
（１）所定の時間（Ｔ１）、前記水吐出装置を開状態、前記洗剤液吐出装置を閉状態に保持する、第１ステップと；
（２）所定の時間（Ｔ２）、前記水吐出装置を閉状態、前記洗剤液吐出装置を開状態に保持する、第２ステップと；
（３）泡立てもみ洗いに要する所定時間（Ｔ３）、前記両吐出装置を閉状態に保持して休止する、第３ステップと；
（４）所定の時間（Ｔ４）、前記水吐出装置を開状態、前記洗剤液吐出装置を閉状態に保持する、第４ステップと；
を含み、両吐出装置を閉状態に保持して完了するように制御を行うことを特徴とする、手洗いシステムの制御方法。
【請求項２】
前記第３ステップと第４ステップの間に、
（５）所定の時間（Ｔ５）、前記両吐出装置を閉状態に保持して休止し、前記センサの出力がＮの場合、前記第１または第２ステップに戻り、Ｙの場合、前記第４ステップに進む、第５ステップ、
を含むように制御を行うことを特徴とする、請求項１に記載の手洗いシステムの制御方法。
【請求項３】
前記第４ステップの終了後に、
（６）所定の時間（Ｔ６）、前記両吐出装置を閉状態に保持して休止し、前記センサの出力がＹの場合、第４ステップに戻り、Ｎの場合、両吐出装置を閉状態に保持して完了する、第６ステップ、
を含むように制御を行うことを特徴とする、請求項１または２に記載の手洗いシステムの制御方法。
【発明の詳細な説明】
【０００１】
【発明の属する技術分野】
この発明は、センサにより所定位置に手があることを感知して洗剤液と水の供給を行う手洗い装置に関するものである。
【０００２】
【従来の技術】
一般に、食品工場の出入り口、洗面所の出入り口などには、食品の衛生管理上、手洗い装置とこれに付随する乾燥装置、消毒装置などが設置されている。一例として特公平４−５３５３０号公報に開示されたものがある。この手洗い装置では、手洗いの手順が図１に示すように、洗剤液（石鹸液）吐出、休止、水吐出に分かれている。
すなわち、センサが所定の位置に手洗いする者の手があることを感知すると、自動的に所定の時間Ｔ２だけ洗剤液（石鹸液）を吐出し、次に、泡立てもみ洗いのため所定の時間Ｔ３だけ休止し、次に、水洗のために所定の時間Ｔ４だけ水を吐出して、手洗いを完了する。
【０００３】
従来の装置の制御に当たっては、人が手洗いの手順を厳密に守っていることを監視することに重点がおかれていた。たとえば、前記の例においては、各装置にセンサをつけて、それぞれ所定の手順を完了させるため各々所定の時間だけ手が滞留しているか否かを手洗いの間の、手の有無により監視し、すべての手順を所定の順序どおり完了した時のみ完了信号を発して、出入り口が開錠される仕組みになっている。
【０００４】
しかし、前記の従来技術では、手洗い手順の最初に洗剤液が吐出するので、手が濡れておらず、泡立てもみ洗いの効果が低い場合があった。
【０００５】
また、従来技術によれば、洗浄品質（実質的な手洗い効果）をあげることについては、手順を強制することにより、一定の成果が認められる。しかし、手順を遵守しているにも拘らず、泡立てもみ洗い、または水洗などが不完全であると、手洗いする者が気付いた場合でも、やり直しが効かず、自動的に次の手順に進んでしまい、目的とする洗浄品質が確保できない場合があった。
【０００６】
【先行技術文献】
【特許文献１】特許出願公告Ｈ４−５３５３０
【０００７】
【発明が解決しようとする課題】
そこで本発明は上記の問題を解決するために、手洗いの手順を変更することにより、手洗いする者のある程度の自発性を自然に尊重しながら、一定の洗浄品質を確保できる手洗いシステムの制御方法を提供することを目的とする。
【０００８】
【課題を解決するための手段】
上記の目的を達成するために、本発明による手洗いシステムの制御方法では、洗剤液吐出装置と、水吐出装置と、所定の位置に手があるか（Ｙ）否か（Ｎ）の感知情報を出力するセンサと、前記センサからの感知情報に基き、前記洗剤液吐出装置及び前記水吐出装置の開閉に関する駆動制御信号を供給する制御ユニットとを備える手洗いシステムにおいて、前記制御ユニットは、前記センサの出力がＮの場合、前記両吐出装置を閉状態に保持して待機しており、前記センサの出力がＹの場合下記のステップに進み、前記ステップは（１）所定の時間（Ｔ１）、前記水吐出装置を開状態、前記洗剤液吐出装置を閉状態に保持する、第１ステップと；（２）所定の時間（Ｔ２）、前記水吐出装置を閉状態、前記洗剤液吐出装置を開状態に保持する、第２ステップと；（３）泡立てもみ洗いに要する所定時間（Ｔ３）、前記両吐出装置を閉状態に保持して休止する、第３ステップと；（４）所定の時間（Ｔ４）、前記水吐出装置を開状態、前記洗剤液吐出装置を閉状態に保持する、第４ステップと；を含み、両吐出装置を閉状態に保持して完了するように制御を行うことを特徴とする。
【０００９】
また好ましくは本発明による手洗いシステムの制御方法では、前記第３ステップと第４ステップの間に、（５）所定の時間（Ｔ５）、前記両吐出装置を閉状態に保持して休止し、前記センサの出力がＮの場合、前記第１または第２ステップに戻り、Ｙの場合、前記第４ステップに進む、第５ステップ、を含むように制御を行うことを特徴とする。
【００１０】
また好ましくは本発明による手洗いシステムの制御方法では、前記第４ステップの終了後に、（６）所定の時間（Ｔ６）、前記両吐出装置を閉状態に保持して休止し、前記センサの出力がＹの場合、第４ステップに戻り、Ｎの場合、両吐出装置を閉状態に保持して完了する、第６ステップ、を含むように制御を行うことを特徴とする。
【００１１】
【発明の実施の形態】
以下、本発明による実施例を図２ないし６に従って詳述する。
図２を参照すると、本発明による第１の実施例では、センサが所定の位置に手洗いする者の手があることを感知すると、まず、ステップ１で所定の時間Ｔ１だけ水が吐出される。これで手が水濡れ状態になるので、手洗いする者は次にステップ２で所定の時間Ｔ２だけ吐出される洗剤液を受けた後、洗剤が手全体に容易に行き渡るようにでき、次のステップ３で所定時間Ｔ３での泡立てもみ洗いが効果的になる。その後は、ステップ４で所定時間Ｔ５だけ吐出される水ですすぎ洗いを行って手洗いを完了する。
【００１２】
次に図３を参照すると、本発明による第２の実施例では、例えば最初の汚れがひどく、ステップ３で所定の時間Ｔ３内での泡立てもみ洗いでは汚れが落ちきらないと手洗いする者が気付いた場合に、センサが手を感知しない場所でそのままもみ洗い動作を続ければよい。その結果、次のステップ５で所定時間Ｔ５内に手が感知されないと、再び洗剤液が吐出される所定時間Ｔ２のステップ２に戻る（図３内の矢印線ａを参照）。ステップ５でＴ５時間内に手が感知されると、次の所定時間Ｔ４のステップ４の水吐出に進む。
【００１３】
再び図３を参照すると、本発明による第３の実施例では、途中まで前記第２の実施例と同様に進んで、ステップ５で所定時間Ｔ５内に手が感知されないと、再び水が吐出される所定時間Ｔ１のステップ１に戻り（図３内の矢印線ｂを参照）、手濡れ状態が一層確保できる。またステップ５でＴ５時間内に手が感知されると、次の所定時間Ｔ４のステップ４の水吐出に進む。
【００１４】
次に図４を参照すると、本発明による第４の実施例では、最初の汚れの性質などに関連して、ステップ４で所定時間Ｔ４内での水洗（すすぎ洗い）が不完全であると手洗いする者が気付いた場合に、そのまますすぎ洗い動作を続ければよい。その結果、次のステップ６で所定時間Ｔ６内に手が感知されると、再び水が吐出される所定時間Ｔ４のステップ４に戻る。またステップ６でＴ６時間内に手が感知されなくなると、手洗いが完了する。
【００１５】
前記各実施例に特有のステップを組み合わせることができる。たとえば、ステップ３の泡立てもみ洗い（Ｔ３）の後、休止期間（Ｔ５）でのセンス結果による条件付きで水吐出（Ｔ１）または洗剤液吐出（Ｔ２）に戻るステップ５の追加と、水吐出（Ｔ５）から休止期間（Ｔ６）でのセンス結果による条件付きで水洗（Ｔ５）に戻るステップ６の追加を組み合わせることができる。
【００１６】
図５を参照すると、本発明による第５、６の実施例では、これら全ての手順が組み合わされている。ただし、ここでは、ステップ５からの戻り先を、第５の実施例では、ステップ２にした場合であり（図５内の矢印線ａを参照）、第６の実施例では、ステップ１にした場合である（図５内の矢印線ｂを参照）。
図６を参照すると、前記第５、６の実施例の場合の、制御ユニットが具現すべき制御方法のフローチャートを示す。図６内の矢印線ａ、ｂは各々、実施例５、６に対応する。
また、図６において、ステップ５、６の双方、ステップ６、またはステップ５を削除して残る前後のステップを直結するならば、それぞれ、前記第１、第２ないし第３、第４の実施例に対応するフローチャートが得られることは自明であろう。
【００１７】
また、実施例２ないし６において、最初の場合と２度目以降の場合で所定の時間（Ｔ１ないしＴ６）の長さを同じであるとしたが、差異を設けることができる。
【００１８】
また、従来の手洗い装置では、手洗いする者の各手順実行を監視する目的で、ステップＳ１、Ｓ２、Ｓ３，Ｓ４の実行時間中に手の有無をセンスすることが行われているが、これと本発明による実施例を組み合わせることも当然考えられる。設備としては同一のセンサを活用できるので、制御プログラムの改造のみにより、このような組合せ手順を経済的に実行することができる。
【００１９】
【発明の効果】
上述のように本発明によれば、洗剤液吐出前の水濡れにより洗剤液を効果的に伸ばして使うことができ、あるいは、汚れや洗剤が落ちないと手洗いする者が気付いた時は、そのまま手を出し続けるという最も自然な方法で再度適切な手順に戻ることができるので、手洗い装置の目的である洗浄品質が、経済的に、しかも手洗いする者の意図を自然に尊重して向上できる。
【図面の簡単な説明】
【図１】従来の手洗いシステムの制御方法の説明図である。
【図２】本発明による第１の実施例の、手洗いシステムの制御方法の説明図である。
【図３】本発明による第２、第３の実施例の、手洗いシステムの制御方法の説明図である。
【図４】本発明による第４の実施例の、手洗いシステムの制御方法の説明図である。
【図５】本発明による第５、第６の実施例の、手洗いシステムの制御方法の説明図である。
【図６】本発明による第５、第６の実施例の、手洗いシステムの制御方法のフローチャートである。
【符号の説明】
Ｓ１〜Ｓ６  ステップ１〜６
【図１】
2004263511.tif 000003
【図２】
2004263511.tif 000004
【図３】
2004263511.tif 000005
【図４】
2004263511.tif 000006
【図５】
2004263511.tif 000007
【図６】
2004263511.tif 000008